(57)【特許請求の範囲】
【請求項１】
一対の脚部の一端を第１連結棒で連結すると共に、他端を第２連結棒で連結して枠状とし、各脚部には前記第１連結棒と第２連結棒をつなぐ線上であってそれぞれに対して等距離となる位置に回転軸を設けてなる第１リンク部材と、
一対の脚部を有し、各脚部の一端に第１支持突起を設け、他端には第２支持突起を設け、その第１支持突起と第２支持突起の距離を前記第１リンク部材の連絡棒間の距離と等しくすることとし、前記第１支持突起と第２支持突起をつなぐ線上であってそれぞれに対して等距離となる位置に回転孔を設け、該回転孔に前記第１リンク部材の回転軸を回転自在に嵌合することとし、前記一対の脚部の一端を前記第１支持突起よりさらに先端側で第１連結部により連結すると共に、他端を前記第２支持突起よりさらに先端側で第２連結部により連結して枠状とした第２リンク部材と、
前記第１リンク部材の第１連結棒を回転自在に支持する回転支持部および前記第２リンク部材の第１支持突起をスライド動作可能に支持するスライド支持部を裏面に備えたキートップと、
該キートップ裏面に接し、接点押下部を備え、そのキートップが押圧された場合に変形して前記接点押下部が押圧方向へ変位するとともにキートップに対しては押圧方向と反対方向への応力を発生させる弾性部材と、
第１リンク部材の第２連結棒をスライド動作可能に支持するスライドガイド、第２リンク部材の第２支持突起を回転自在に支持する回転ガイドおよび前記弾性部材に当接するガイド壁を有するハウジングと、
該ハウジングに固定されるベースプレートと、
該ベースプレート上に配設され、前記接点押下部に押圧されることにより閉成状態となる接点シートとから構成され、
前記キートップが押圧された場合、第１リンク部材の第２連結棒が第２リンク部材の第１支持突起と同一線上に並んで、前記第１リンク部材が第２リンク部材の内側に、相互に干渉することなく納まることを特徴とするキースイッチ構造。
【請求項２】
請求項１において、
第１リンク部材の形状を、回転軸を中心とした点対称とし、第１連結棒と第２連結棒を区別することなく組立可能としたことを特徴とするキースイッチ構造。
【請求項３】
請求項１、または請求項２において、
キートップのスライド支持部は一対設けるものとして、第２リンク部材の第１支持突起を外側から抱えるように納めるスライド溝を対向するように形成し、
該スライド溝のハウジング側に形成されるそれぞれのスライド支持部の壁部は、キートップの外周側の部分を切欠いて、両切欠き部がキートップの外周側で広がるハの字形を成すように形成すると共に、その切欠き部のハウジング側の部分を面取りして斜面を形成したことを特徴とするキースイッチ構造。
【請求項４】
請求項１、請求項２、または請求項３において、
キートップ裏面に、第２リンク部材の第２連結部の内面側上端部が当接するように任意の高さのストッパを設けて、第２リンク部材の第１支持突起が、キートップのスライド支持部から外れるために要する力を所望の強度に設定したことを特徴とするキースイッチ構造。
【発明の詳細な説明】
【０００１】
【発明の属する技術分野】
本発明は、情報処理装置の入力装置に用いるキースイッチ構造に係り、特に、持ち運びが容易で、かつ薄型の要求の強い可搬型のパーソナルコンピュータやワードプロセッサ等に用いられる薄型のキースイッチ構造に関する。
【０００２】
【従来の技術】
図１３は従来のキースイッチ構造を示す説明図である。このキースイッチ構造は、キートップ１、ハウジング２、カップゴム３、メンブレン接点シート４および補強板５から構成されている。
キートップ１には、その裏面にステム１ａとクランプ爪１ｂが設けられている。ハウジング２には摺動孔２ａを設けてあり、該摺動孔２ａにキートップ１のステム１ａを摺動可能に挿入する。また、このハウジング２は抜け止め用の段差２ｂを具備しており、キートップ１が上方へ移動した場合にクランプ爪１ｂがこの段差２ｂにかかって抜けないようになっている。
【０００３】
カップゴム３は弾性材料製で、その上部がキートップ１の裏面に接するように、かつ、その下部がメンブレン接点シート４の上部側となるように配置されている。メンブレン接点シート４は、２枚の可撓性部材６，７と、これらに挟まれたスペーサシート８からなり、該スペーサシート８にはキーに対応させて複数の貫通孔８ａを設けてある。該貫通孔８ａは、２枚の可撓性部材６，７間に空間を形成し、この空間内に、補強板５側の可撓性部材７には固定接点７ａが、また、カップゴム３側の可撓性部材６には可動接点６ａが、互いに対向するように配設されている。
【０００４】
補強板５は以上の部品の下部に配設され、ハウジング２とねじ等により固定されている。
このように構成された従来のキースイッチの動作について説明する。
キートップ１が押下されると、キートップ１のステム１ａがハウジング２の摺動孔２ａに対して摺動運動しつつ、キートップ１の裏面がカップゴム３の上部を押圧することにより、カップゴム３が圧縮変形されるとともに該カップゴム３内部に下方に突出するように設けられた接点押下部３ａが接点シート４の可撓性部材６に当接し、これを押圧する。
【０００５】
その結果、可撓性部材６が撓んで、その下部に配設された可動接点６ａが、対向する固定接点７ａに接触し、これにより電気的接続がなされてスイッチは閉成状態となる。
この後、キートップ１の押下を解除すると、各構成部品は、カップゴム３の復元力により元の状態に戻り、撓んでいた可撓性部材６も復旧するため、可動接点６ａと固定接点７ａの接触が絶たれ、スイッチは開放状態となる。
【０００６】
この一連の動作のうち、キートップ１のステム１ａとハウジング２の摺動孔２ａにおける摺動運動が良好であることが、キースイッチには不可欠であり、良好な摺動運動を得るためには、ステム１ａが摺動孔２ａに入り込んでいる長さ、すなわち図にＡとして示す初期の摺動長が重要な要素である。
【０００７】
【発明が解決しようとする課題】
しかしながら、前記のキースイッチ構造では、キースイッチの全高を低くし、かつ良好な操作性を得るために充分なストローク量を確保しようとした場合、キースイッチにとって重要な初期の摺動長Ａを得ることができず、キートップの端の部分を押下するとキートップの下方への動きが渋くスムーズでないという問題が生じた。
【０００８】
【課題を解決するための手段】
本発明は、一対の脚部の一端を第１連結棒で連結すると共に、他端を第２連結棒で連結して枠状とし、各脚部には前記第１連結棒と第２連結棒をつなぐ線上であってそれぞれに対して等距離となる位置に回転軸を設けてなる第１リンク部材と、一対の脚部を有し、各脚部の一端に第１支持突起を設け、他端には第２支持突起を設け、その第１支持突起と第２支持突起の距離を前記第１リンク部材の連絡棒間の距離と等しくすることとし、前記第１支持突起と第２支持突起をつなぐ線上であってそれぞれに対して等距離となる位置に回転孔を設け、該回転孔に前記第１リンク部材の回転軸を回転自在に嵌合することとし、前記一対の脚部の一端を前記第１支持突起よりさらに先端側で第１連結部により連結すると共に、他端を前記第２支持突起よりさらに先端側で第２連結部により連結して枠状とした第２リンク部材と、前記第１リンク部材の第１連結棒を回転自在に支持する回転支持部および前記第２リンク部材の第１支持突起をスライド動作可能に支持するスライド支持部を裏面に備えたキートップと、該キートップ裏面に接し、接点押下部を備え、そのキートップが押圧された場合に変形して前記接点押下部が押圧方向へ変位するとともにキートップに対しては押圧方向と反対方向への応力を発生させる弾性部材と、第１リンク部材の第２連結棒をスライド動作可能に支持するスライドガイド、第２リンク部材の第２支持突起を回転自在に支持する回転ガイドおよび前記弾性部材に当接するガイド壁を有するハウジングと、該ハウジングに固定されるベースプレートと、該ベースプレート上に配設され、前記接点押下部に押圧されることにより閉成状態となる接点シートとから構成され、前記キートップが押圧された場合、第１リンク部材の第２連結棒が第２リンク部材の第１支持突起と同一線上に並んで、前記第１リンク部材が第２リンク部材の内側に、相互に干渉することなく納まることを特徴とする。
【０００９】
また、第１リンク部材の形状を、回転軸を中心とした点対称とし、第１連結棒と第２連結棒を区別することなく組立可能としたことを特徴とする。
【００１０】
そして、キートップのスライド支持部は一対設けるものとして、第２リンク部材の第１支持突起を外側から抱えるように納めるスライド溝を対向するように形成し、該スライド溝のハウジング側に形成されるそれぞれのスライド支持部の壁部は、キートップの外周側の部分を切欠いて、両切欠き部がキートップの外周側で広がるハの字形を成すように形成すると共に、その切欠き部のハウジング側の部分を面取りして斜面を形成したことを特徴とする。
【００１１】
また、キートップ裏面に、第２リンク部材の第２連結部の内面側上端部が当接するように任意の高さのストッパを設けて、第２リンク部材の第１支持突起が、キートップのスライド支持部から外れるために要する力を所望の強度に設定したことを特徴とする。
【００１２】
【発明の実施の形態】
以下に本発明の実施の形態について図を用いて説明する。
〔第１の実施の形態〕
図１は第１の実施の形態を示す断面図であり、図２は第１の実施の形態を示す部品分解図である。
【００１３】
本実施の形態のキースイッチ構造の基本的構成は、キートップ１１、第１リンク部材１２、第２リンク部材１３、弾性部材１４、ハウジング１５、接点シート１６およびベースプレート１７によりなっている。
キートップ１１には、第１リンク部材１２の一端を回転可能に支持する回転支持部１１ａ，１１ｂと、第２リンク部材１３の一端を図１における水平方向にスライド動作可能に支持するスライド支持部１１ｃ，１１ｄを設けてある。
【００１４】
第１リンク部材１２は、一対の脚部１２ａ，１２ｂを有し、該脚部１２ａ，１２ｂの一端には、キートップ１１の回転支持部１１ａ，１１ｂに挿入される第１連結棒１２ｃが、２つの脚部１２ａ，１２ｂを連結するように配設され、同様に脚部１２ａ，１２ｂの他端には、第２連結棒１２ｄが２つの脚部１２ａ，１２ｂを連結するように配設されている。
【００１５】
さらに、２つの脚部１２ａ，１２ｂの各々には、第１連結棒１２ｃと第２連結棒１２ｄとをつなぐ線上であって、かつ、それぞれの連結棒１２ｃ，１２ｄに対して等距離となる位置に、回転軸１２ｅ，１２ｆが設けられている。
第２リンク部材１３は、一対の脚部１３ａ，１３ｂを有し、該脚部１３ａ，１３ｂの一端には、キートップ１１のスライド支持部１１ｃ，１１ｄにスライド動作可能に支持される第１支持突起１３ｃ，１３ｄが、他端には第１リンク部材１２の両連結棒１２ｃ，１２ｄ間と等しい距離に第２支持突起１３ｅ，１３ｆが配設されている。
【００１６】
また、第１支持突起１３ｃ，１３ｄと第２支持突起１３ｅ，１３ｆをつなぐ線上であって、かつ各々の支持突起１３ｃ，１３ｄ；１３ｅ，１３ｆに対して等距離となる位置に、回転孔１３ｇ，１３ｈが設けられている。さらに、２つの脚部１３ａ，１３ｂは、各々の第１支持突起１３ｃ，１３ｄよりさらに先端側において、連結部１３ｉにより連結されている。
【００１７】
第１リンク部材１２と第２リンク部材１３は、第１リンク部材１２の回転軸１２ｅ，１２ｆを、第２リンク部材１３の回転孔１３ｇ，１３ｈに嵌合することにより、回転自在に係合されている。
ハウジング１５には、第１リンク部材１２の第２連結棒１２ｄを図１における水平方向にスライド動作可能に支持するためのスライドガイド１５ａ，１５ｂが配設され、第２リンク部材１３の第２支持突起１３ｅ，１３ｆを回転自在に支持するための回転ガイド１５ｃ，１５ｄが配設されている。さらに、ハウジング１５には、弾性部材１４を固定するガイド壁１５ｅが、弾性部材１４の外周部を囲む形に配設されている。
【００１８】
弾性部材１４は、その上部がキートップ１１の裏面に接するように、メンブレン接点シート１６上に配置されている。
メンブレン接点シート１６は従来例で述べた構造であり、可動接点１６ａと固定接点１６ｂが、所定の間隙をあけて対向するように配設されている。ベースプレート１７は、以上の部品の下部に配置され、ハウジング１５とねじ等により固定されている。
【００１９】
図３は第１の実施の形態の押下状態を示す説明図であり、この図を併せて参照し、以下に本実施の形態の動作について説明する。
キートップ１１が押下されて下方に移動するのに伴い、第１リンク部材１２は、キートップ１１の回転支持部１１ａ，ｂに回転自在に支持された第１連結棒１２ｃを回転の中心として、図１および図３の時計方向に回転運動し、この第１リンク部材１２の他端側の第２連結棒１２ｄが、ハウジング１５のスライドガイド１５ａ，１５ｂに沿って図１および図３の水平方向にスライド動作する。
【００２０】
第２リンク部材１３は、第１リンク部材１２の回転軸１２ｅ，１２ｆがその第２リンク部材１３の回転孔１３ｇ，１３ｈに回転自在に嵌合されているため、第１リンク部材１２の動作に伴い、第２リンク部材１３の第１支持突起１３ｃ，１３ｄがキートップ１１のスライド支持部１１ｃ，１１ｄに沿って図１および図３の水平方向にスライド動作し、ハウジング１５の回転ガイド１５ｃ，１５ｄに回転自在に支持された第２支持突起１３ｅ，１３ｆを回転の中心として図１および図３の反時計方向に回転運動する。
【００２１】
この結果、キートップ１１は、ハウジング５に対して平行を保ちながら図１および図３の下方へ移動する。キートップ１１の下方への移動に伴い、該キートップ１１の裏面が弾性部材１４の上部を押圧し、この弾性部材１４は圧縮変形するとともに該弾性部材１４の内部に形成されて下方に突出している接点押下部１４ａが接点シート１６に当接してこれを押圧することにより、可動接点１６ａと固定接点１６ｂが接触して電気的接続がなされ、スイッチは閉成状態となる。
【００２２】
さらに、キートップ１１を押下すると、図３に示すように、第２リンク部材１３の連結部１３ｉが第１支持突起１３ｃ，１３ｄよりも端部側に設けられているため、第１リンク部材１２と第２リンク部材１３とは重なることなく、どちらもハウジング１５に対して水平となる位置まで回転可能である。
キートップ１１の押下を解除すると、各構成部品は、弾性部材１４の復元力により、図１に示すような元の状態に戻り、接点シート１６の可動接点１６ａと固定接点１６ｂも離れ、電気的接触が絶たれるためスイッチは開放状態となる。
【００２３】
前述の如く、第１リンク部材１２および第２リンク部材１３を用いて、キートップ１１への押下動作を回転運動と水平方向のスライド運動に変換するキースイッチ構造としたため、キートップ１１は常にハウジング１５に対して平行に位置することが可能となり、キートップ１１のどの部分を押した場合にも良好な押下感触が得られる。
【００２４】
さらに、第２リンク部材１３内に第１リンク部材１２が納まるように、両者が垂直方向（高さ方向）に重なることがないように構成したため、キースイッチのストロークを充分確保しながらスムーズな動作を実現するだけでなく、このキースイッチを低く構成することが可能となる。
〔第２の実施の形態〕
図４は第２の実施の形態を示す断面図であり、図５は第２の実施の形態を示す部品分解図であり、図６は第２の実施の形態の押下状態を示す断面図である。
【００２５】
本実施の形態は、前記第１の実施の形態の構成において、後述する本実施の形態の第２リンク部材１８を設けたことを特徴とする。
この第２リンク部材１８は、一対の脚部１８ａ，１８ｂを有し、該脚部１８ａ，１８ｂの一端には、キートップ１１のスライド支持部１１ｃ，ｄにスライド動作可能に支持される第１支持突起１８ｃ，１８ｄが、他端には第１リンク部材１２の両連結棒１２ｃ，１２ｄ間と等しい距離に第２支持突起１８ｅ，１８ｆが配設されている。
【００２６】
また、第１支持突起１８ｃ，１８ｄと第２支持突起１８ｅ，１８ｆをつなぐ線上であって、かつ各々の支持突起１８ｃ，１８ｄ；１８ｅ，１８ｆに対して等距離となる位置に、回転孔１８ｇ，１８ｈが設けられている。
２つの脚部１８ａ，１８ｂは、各々の第１支持突起１８ｃ，１８ｄよりさらに端部側において、第１連結部１８ｉにより連結されている。そして、各々の第２支持突起１８ｅ，１８ｆよりさらに端部側において、第２連結部１８ｊにより連結されている。
【００２７】
該第２連結部１８ｊは、図６に示すように、キートップ１１とハウジング１５とにより形成される空間に対し、他の部品と干渉しない形状となるように形成されている。
このように、第２の連結部１８ｊを第２リンク部材１８に追加すれば、第２リンク部材１８の剛性が向上する。
【００２８】
単にリンク部材の剛性を向上させるためならば、第１リンク部材１２の回転軸１２ｅ，１２ｆと第２リンク部材１８の回転孔１８ｇ，１８ｈの部分に、両リンク部材１８，１９の中央の空間を貫くように貫通軸を設ければよいが、この場合、貫通軸が弾性部材１４の配置に影響してしまい、キースイッチを低く構成することができない、そこで、第１リンク部材１２の中央には空間をあけたままとし、さらに、第２リンク部材１３を第１リンク部材１２の４辺を囲む形状とし、剛性を持たせるとともに弾性部材１４のための空間を確保することとした。  従って、スムーズな動作のためにキースイッチのストロークをとりながら、全体を低く構成できることに加えて、前記の如くリンク部材の剛性を向上させているため、例えばキートップ１１の端を押下したような場合でも、リンク部材の変形によるキートップの傾きを小さく抑えることが可能となる。すなわち、どのように押下されたとしても、確実かつスムーズに動作することができるようになる。
【００２９】
〔第３の実施の形態〕
図７は第３の実施の形態を示す断面図であり、図８は第３の実施の形態を示す部品分解図である。
本実施の形態は、前記各実施の形態の構成において、後述する本実施の形態の第１リンク部材１９を設けたことを特徴とする。
【００３０】
該第１リンク部材１９は、一対の脚部１９ａ，１９ｂを有し、該脚部１９ａ，１９ｂの一端には、キートップ１１の回転支持部１１ａ，１１ｂに挿入される第１連結棒１９ｃが、２つの脚部１９ａ，１９ｂを連結するように配設され、同様に脚部１９ａ，１９ｂの他端には、第２連結棒１９ｄが２つの脚部１９ａ，１９ｂを連結するように配設されている。２つの脚部１９ａ，１９ｂの各々には、第１連結棒１９ｃと第２連結棒１９ｄとをつなぐ線上であって、かつ、それぞれの連結棒１９ｃ，１９ｄに対して等距離となる位置に、回転軸１９ｅ，１９ｆが設けられている。
【００３１】
そして、この第１リンク部材１９は、回転軸１９ｅ，１９ｆを中心とした点対象の形状となるように形成されたことを特徴としており、キースイッチに組み込む時も、前記第１連結棒１９ｃと第２連結棒１９ｄを入れ替えることができる。すなわち、組み込む時に方向性を気にする必要がないので、組立作業が簡単になり、作業の効率を向上させることができる。
【００３２】
〔第４の実施の形態〕
図９は第４の実施の形態のキートップを示す説明図であり、本実施の形態のキートップ２０の裏側を示す図となっている。本実施の形態は、前記各実施の形態の構成において、このキートップ２０を設けたことを特徴とする。
図において、２０ａ，２０ｂは回転支持部であり、第１リンク部材１２の一端を回転可能に支持するためのものである。
【００３３】
２０ｃ，２０ｄはスライド支持部であり、第２リンク部材１３の一端をスライド動作可能に支持するためのものである。
このスライド支持部２０ｃ，２０ｄは、そのスライド溝２０ｅ，２０ｆを形成する下方（図９では裏から見ているので上方）の壁部２０ｇ，２０ｈを、第２リンク部材１３の第１支持突起１３ｃ，１３ｄが突出する方向に対して傾斜させ、かつ、その端部に任意の面取り形状を形成してある。すなわち、壁部２０ｇ，２０ｈを、キートップ内側部分よりもキートップ外側部分が狭くなるように切欠きを持たせた形状とする。
【００３４】
図１０は第４の実施の形態の組立手順を示す説明図である。
以下、キースイッチの組立手順の一例を説明する。
▲１▼ベースプレート１７、接点シート１６、ハウジング１５をねじ等で固定する。
▲２▼ハウジング１５のガイド壁１５ｅに合わせて弾性部材１４を適正位置に配置する。
【００３５】
▲３▼第１リンク部材１２の回転軸１２ｅ，１２ｆを第２リンク部材の回転孔１３ｇ，１３ｈに挿入し、回転自在に組み合わせる。
▲４▼第１リンク部材１２の第２連結棒１２ｄをハウジング１５のスライドガイド１５ａ，１５ｂに、第２リンク部材１３の第２支持突起１３ｅ，１３ｆをハウジング１５の回転ガイド１５ｃ，１５ｄに挿入する。
【００３６】
▲５▼第１リンク部材１２、第２リンク部材１３、弾性部材１４の上部より、キートップ２０を押しつけることにより、第１リンク部材１２の第１連結棒１２ｃをキートップ２０の回転支持部２０ａ，２０ｂに、第２リンク部材１３の第１支持突起１３ｃ，１３ｄをキートップ２０のスライド支持部２０ｃ，２０ｄに挿入する。
【００３７】
特に、前記▲５▼に記述した、第１支持突起１３ｃ，１３ｄをスライド支持部２０ｃ，２０ｄに挿入する時の動作を、図１０により詳述する。図１０（ａ）はキートップを裏側から見た図であり、（ｂ）はその図のＩ−Ｉ断面図である。
第１支持突起１３ｃ，１３ｄには、スライド支持部２０ｃ，２０ｄの傾斜して面取りされた壁部２０ｇ，２０ｈに沿って図１０（ａ）の矢印Ｂ方向に移動する方向に力がはたらいており、これにより、第２リンク部材１３の脚部１３ａ，１３ｂと連結部１３ｉが弾性変形し、第１支持突起１３ｃ，１３ｄがスライド溝２０ｅ，２０ｆに挿入される。すなわち、図１０（ｂ）の矢印に示すように、まず第１支持突起１３ｃ，１３ｄが図の左方へ導かれ、スライド溝２０ｅ，２０ｆ内に押し込まれる。
【００３８】
このように、キートップ２０のスライド支持部２０ｃ，２０ｄに、切欠きおよび面取りを持たせた壁部２０ｇ，２０ｈを設けたため、各部品を順次、上から積み上げることで、容易にキースイッチを組み立てることが可能となる。
〔第５の実施の形態〕
図１１は第５の実施の形態を示す断面図である。図１２は第５の実施の形態のキートップを示す説明図であり、本実施の形態のキートップ２１の裏側を示す図となっている。本実施の形態は、前記各実施の形態の構成において、このキートップ２１を設けたことを特徴とする。
【００３９】
図において、２１ａ，２１ｂは回転支持部であり、第１リンク部材１２の一端を回転可能に支持するためのものである。２１ｃ，２１ｄはスライド支持部であり、第２リンク部材１３の連結部１３ｉをスライド溝２１ｅ，２１ｆに沿ってスライド動作可能に支持するためのものである。
２１ｉはストッパであり、キートップ２１裏面に所定の高さに設けてある。
【００４０】
図１１に示すように、キートップ２１が押下されない状態において、ストッパ２１ｉと第２リンク部材１３の連結部１３ｉは接触している。
キートップ２１に対して上方向への力が外部から加えられた場合に、第２リンク部材１３は図１１の時計方向に回転しようとし、第１支持突起１３ｃ，１３ｄがスライド支持部２１ｃ，２１ｄのスライド溝２１ｅ，２１ｆからキートップ２１内側へ外れようとするが、本実施の形態のようにストッパ２１ｉを設けておけば、連結部１３ｉがこのストッパ２１ｉに接触しているため、第１支持突起１３ｃ，１３ｄはスライド溝２１ｅ，２１ｆから外れることがない。
【００４１】
さらに、ある一定以上の力をキートップ２１に加えると、連結部１３ｉその他の部分が弾性変形し、連結部１３ｉがストッパ２１ｉを乗り越え、第１支持突起１３ｃ，１３ｄがスライド支持部２１ｃ，２１ｄのスライド溝２１ｅ，２１ｆからキートップ２１内側へ外れる。
予めこのストッパ２１ｉの高さを任意に形成しておくことにより、キートップ２１のスライド溝２１ｅ，２１ｆから第２リンク部材１３の第１支持突起１３ｃ，１３ｄが外れる力を任意に設定することが可能である。すなわち、ストッパ１３ｉを高く形成すればキートップ１３の取り外し強度を強く設定することとなり、ストッパ１３ｉを低く形成すればキートップ２１の取り外し強度を弱く設定することとなる。
【００４２】
このように、ストッパ２１ｉを設け、該ストッパの高さを任意に形成することにより、キートップ２１の取り外しに要する力を所望の強度に設定することができる。
【００４３】
【発明の効果】
以上詳細に説明したように、第１リンク部材および第２リンク部材を用いて、キートップへの押下動作を回転運動と水平方向のスライド運動に変換することとし、さらに、第２リンク部材内に第１リンク部材が納まるように構成したため、キースイッチのストロークを充分確保しながらスムーズな動作を実現するだけでなく、このキースイッチを低く構成することが可能となる効果を有する。
【００４４】
また、第１リンク部材を囲むように第２リンク部材を構成したため、剛性が向上し、キートップのどの部分を押下した場合にもキートップの傾きを小さく抑え、確実かつスムーズな動作を実現する効果を有する。
そして、第１リンク部材を回転軸を中心とした点対象の形状としたことにより、組立時にその方向性を気にする必要がなくなり、組立作業が簡単になり、作業の効率を向上させる効果を有する。
【００４５】
また、キートップのスライド支持部に、切欠きおよび面取りを持たせた壁部を設けたため、各部品を順次、上から積み上げることで、容易にキースイッチを組立可能となる効果を有する。
さらに、キートップ裏面にストッパを設け、該ストッパの高さを任意に形成することにより、キートップの取り外しに要する力を所望の強度に設定することが可能となる効果を有する。
【図面の簡単な説明】
【図１】第１の実施の形態を示す断面図
【図２】第１の実施の形態を示す部品分解図
【図３】第１の実施の形態の押下状態を示す断面図
【図４】第２の実施の形態を示す断面図
【図５】第２の実施の形態を示す部品分解図
【図６】第２の実施の形態の押下状態を示す断面図
【図７】第３の実施の形態を示す断面図
【図８】第３の実施の形態を示す部品分解図
【図９】第４の実施の形態のキートップを示す説明図
【図１０】第４の実施の形態の組立手順を示す説明図
【図１１】第５の実施の形態を示す断面図
【図１２】第５の実施の形態のキートップを示す説明図
【図１３】従来のキースイッチ構造を示す説明図
【符号の説明】
１１  キートップ
１１ａ，１１ｂ  回転支持部
１１ｃ，１１ｄ  スライド支持部
１２  第１リンク部材
１２ａ，１２ｂ  脚部
１２ｃ  第１連結棒
１２ｄ  第２連結棒
１２ｅ，１２ｆ  回転軸
１３  第２リンク部材
１３ａ，１３ｂ  脚部
１３ｃ，１３ｄ  第１支持突起
１３ｅ，１３ｆ  第２支持突起
１３ｇ，１３ｈ  回転孔
１３ｉ  連結部
１４  弾性部材
１４ａ  接点押下部
１５  ハウジング
１５ａ，１５ｂ  スライドガイド
１５ｃ，１５ｄ  回転ガイド
１５ｅ  ガイド壁
１６  接点シート
１７  ベースプレート
１８  第２リンク部材
１８ａ，１８ｂ  脚部
１８ｃ，１８ｄ  第１支持突起
１８ｅ，１８ｆ  第２支持突起
１８ｇ，１８ｈ  回転孔
１８ｉ  第１連結部
１８ｊ  第２連結部
１９  第１リンク部材
１９ａ，１９ｂ  脚部
１９ｃ  第１連結棒
１９ｄ  第２連結棒
１９ｅ，１９ｆ  回転軸
２０  キートップ
２０ａ，２０ｂ  回転支持部
２０ｃ，２０ｄ  スライド支持部
２０ｅ，２０ｆ  スライド溝
２０ｇ，２０ｈ  壁部
２１  キートップ
２１ａ，２１ｂ  回転支持部
２１ｃ，２１ｄ  スライド支持部
２１ｅ，２１ｆ  スライド溝
２１ｇ，２１ｈ  壁部
２１ｉ  ストッパ
【図２】
0003692496.tif 000002
【図５】
0003692496.tif 000003
【図８】
0003692496.tif 000004
【図９】
0003692496.tif 000005
【図１３】
0003692496.tif 000006
【図１】
0003692496.tif 000007
【図３】
0003692496.tif 000008
【図４】
0003692496.tif 000009
【図６】
0003692496.tif 000010
【図７】
0003692496.tif 000011
【図１０】
0003692496.tif 000012
【図１１】
0003692496.tif 000013
【図１２】
0003692496.tif 000014